(57)【要約】【課題】本考案は、着脱容易で、確固的に背負うことができ、また、掃除作業を中断し易い背負い型電気掃除機を提供する。【解決手段】電気掃除機本体を背負うことができる背負い型電気掃除機において、背負った状態で、該電気掃除機本体の後面上部に排気口を、また該電気掃除機本体の下面に吸気口を設けており、該吸気口に連結されて、先端部に吸込口を有する吸気ホース部と、前記電気掃除機本体の背負い面左右の肩付近の位置にそれぞれ一端を固着され、他端を腰部付近に設けられた腰部環を通して腹方向に折り曲げて、腹部前面で左右それぞれを着脱用差込バックルで嵌合して拘持するベルトと、を備え、前記吸気ホース部が前記吸気口から長さ２０〜５０ｃｍの位置に着脱可能なジョイント部を設けたことを特徴とする背負い型電気掃除機。【選択図】図１
0003203744.tif 000002
【実用新案登録請求の範囲】
【請求項１】
電気掃除機本体を背負うことができる背負い型電気掃除機において、背負った状態で、該電気掃除機本体の後面上部に排気口を、また該電気掃除機本体の下面に吸気口を設けており、該吸気口に連結されて、先端部に吸込口を有する吸気ホース部と、前記電気掃除機本体の背負い面左右の肩付近の位置にそれぞれ一端を固着され、他端を腰部付近に設けられた腰部環を通して腹方向に折り曲げて、腹部前面で左右それぞれを着脱用差込バックルで嵌合して拘持するベルトと、を備え、前記吸気ホース部が前記吸気口から長さ２０〜５０ｃｍの位置に着脱可能なジョイント部を設けたことを特徴とする背負い型電気掃除機。
【請求項２】
前記ベルトの前記一端が、前記電気掃除機本体の前面左右の腰付近の位置にそれぞれ一端を固着され、該ベルトの他端が、肩部に設けられた肩部環を通して折り返し、さらに、該固着部付近に設けられた腰部環を通して腹方向に折り曲げて、腹部前面で左右それぞれを着脱用差込バックルで嵌合して拘持していることを特徴とする請求項１に記載の背負い型電気掃除機。
【請求項３】
前記肩部環と前記腰部環との間に、前記ベルトを摺動する締付調整具を備えたことを特徴とする請求項２に記載の背負い型電気掃除機。
【請求項４】
前記電気掃除機本体の前記背負い面に、２本の縦長の緩衝パッドを設けたことを特徴とする請求項１又は２又は３に記載の背負い型電気掃除機。
【考案の詳細な説明】
【技術分野】
【０００１】
本考案は、掃除機を背負って掃除する背負い型電気掃除機に関するものである。
【背景技術】
【０００２】
従来型の電気掃除機を引きずって掃除をすれば、部屋に置いてある家具に、電気掃除機本体が引っかかって、掃除や移動の妨げになると共に家具や壁等を傷つけてしまうという問題があった。また、階段等の段差を昇降する際には、電気掃除機本体を手に持って昇降せねばならず、咄嗟のときに、両手を使うことができず大変危険であるという問題があった。
【０００３】
そこで、従来、掃除機本体を背負って使用する電気掃除機が発明、考案されてきていた。その一例として、背中と掃除機本体との間に隙間を取ることで、使用者に伝わる熱量を抑えることができる電気掃除機が先行技術として開示されている（文献１）。
【先行技術文献】
【特許文献】
【０００４】
【特許文献１】特開２００５−３２３９１５号公報。
【考案の概要】
【考案が解決しようとする課題】
【０００５】
掃除機を背負うことによって、階段等の段差や家具に掃除機が引っかかって、掃除や移動の妨げになることを防止すると共に家具を傷つくことを防止できる。しかしながら、先行技術の背負い型電気掃除機では、吸気ホースが電気掃除機の上部から出ているので、吸気ホースが長なって取回しし難いうえに、長い分だけ重量も重くなり、また重心が高くなって安定せず、掃除に非常に疲れる。また、掃除中に、急に他の用事が入った際には、不要な吸気ホースと共に移動しなければならないので、移動し難く邪魔になるという問題があった。また、掃除中に、姿勢が前屈みになると重量のある電気掃除機本体が背中から頭部方向にずれて、バランスを崩し、掃除の姿勢が不安定になり、特に高齢者や弱者にとっては、不快や危険を感じてしまうという問題があった。
【０００６】
本考案は、これらの問題を解決したものであって、電気掃除機本体の下面から吸気ホースを出すと共に、腰付近に位置する箇所に着脱ジョイント部を設けることによって、掃除中に別の用事が入った際に、不要な吸気ホースを外せると共に、ベルトによって、電気掃除機本体を背中に密着させて安定させ、前屈みの姿勢になった際でも電気掃除機本体がずれない背負い型電気掃除機を提供するものである。
【課題を解決するための手段】
【０００７】
本考案の請求項１に係る背負い型電気掃除機は、電気掃除機本体を背負うことができる背負い型電気掃除機において、背負った状態で、該電気掃除機本体の後面上部に排気口を、また該電気掃除機本体の下面に吸気口を設けており、該吸気口に連結されて、先端部に吸込口を有する吸気ホース部と、前記電気掃除機本体の背負い面左右の肩付近の位置にそれぞれ一端を固着され、他端を腰部付近に設けられた腰部環を通して腹方向に折り曲げて、腹部前面で左右それぞれを着脱用差込バックルで嵌合して拘持するベルトと、を備え、前記吸気ホース部が前記吸気口から長さ２０〜５０ｃｍの位置に着脱可能なジョイント部を設けたことを特徴とする。
【０００８】
本考案の請求項２に係る背負い型電気掃除機は、請求項１に記載の背負い型電気掃除機において、前記ベルトの前記一端が、前記電気掃除機本体の前面左右の腰付近の位置にそれぞれ一端を固着され、該ベルトの他端が、肩部に設けられた肩部環を通して折り返し、さらに、該固着部付近に設けられた腰部環を通して腹方向に折り曲げて、腹部前面で左右それぞれを着脱用差込バックルで嵌合して拘持していることを特徴とする。
【０００９】
これらの構成を採用することにより、本考案に係る背負い型電気掃除機は、電気掃除機本体を背負っているので、階段等の段差や家具や壁に掃除機が引っかかって、掃除や移動の妨げになることを防止すると共に家具や壁を傷つけない。また、電気掃除機を背負った際に、腹部の前面で締め付けることができるベルトによって、背中に密着させて電気掃除機本体を固定させることができる。よって、使用者がごみを拾うためのように前屈みの姿勢になっても電気掃除機が背中からずれることを防ぐことができる。また、電気掃除機本体を背負ったまま、ジョイント部を外すことによって、手軽に吸気ホース部を外すことができる。よって、掃除中に、急に他の用事をすることになったとしても、不要な吸気ホース部のみを外すことによって、身軽に素早く他の用事をすることができる。また、吸気ホース部のみを外すことによって、電気掃除機本体を背負ったまま腰をかけて休息することができる。
【００１０】
本考案の請求項３に係る背負い型電気掃除機は、請求項２に記載の背負い型電気掃除機において、前記肩部環と前記腰部環との間に、前記ベルトを摺動する締付調整具を備えたことを特徴とする。
【００１１】
この構成を採用することにより、請求項３に係る背負い型電気掃除機は、電気掃除機を背負う際には、調整具を腰方向に下げることによって、肩ベルトに腕を通しやすくなり、また、背負った後には、調整具を腰から脇方向に摺動させることによって、肩ベルトを脇に密着させることができる。よって、電気掃除機本体を背中に密着させることができるので、電気掃除機がずれることを防止できる。
【００１２】
本考案の請求項４に係る背負い型電気掃除機は、請求項１又は２又は３に記載の背負い型電気掃除機において、前記電気掃除機本体の前記背負い面に、２本の縦長の緩衝パッドを設けたことを特徴とする。
【００１３】
この構成を採用することにより、請求項４に係る背負い型電気掃除機は、電気掃除機を背負った際にも、背中に電気掃除機の振動が伝わりにくくなると共に背中が痛くならない。また、緩衝パッドの出っ張りで使用者の体が支えられるので、肩部環や腰部環が体に直接当たることによる不快感を防止できる。また、電気掃除機本体の熱を２本の緩衝パッドの間から逃がすことができ、使用者に熱が伝わることがない。よって長時間の掃除も、苦痛にならない。
【考案の効果】
【００１４】
本考案に係る請求項１から４に記載の背負い型電気掃除機によれば、掃除機を背負うことによって、階段等の段差や家具に掃除機が引っかかって、掃除の妨げになることを防止すると共に家具や壁を傷つけない。また、背中に電気掃除機本体を密着させて固定させることができるので、使用者がごみを拾うために前屈みの姿勢になっても、電気掃除機が使用者の頭部方向にずれることを防ぐことができるので、使用者のバランスを崩さないし、使用者に不快感を与えない。また、長時間の作業でも背中が痛くならない。また、着脱ジョイント部を外すことによって、手軽に吸気ホース部を外すことができるので、掃除中に、急に他の用事をしなければならなくなったとしても、素早く他の用事に対応することができる。本考案に係る背負い型電気掃除機は、体力の弱い高齢者や弱者にとって、安全で、かつ、操作し易い掃除機を提供することができる。
【図面の簡単な説明】
【００１５】
【図１】図１は、本考案を実施するための形態に係る背負い型電気掃除機（背面側）の模式的斜視図である。
【図２】図２は、本考案を実施するための形態に係る背負い型電気掃除機（前面側）の模式的斜視図である。
【図３】図３は、本考案を実施するための形態に係る背負い型電気掃除機の模式的側面図である。
【図４】図４は、本考案を実施するための形態に係る背負い型電気掃除機の床を掃除している使用状態の模式的斜視図である。
【図５】図５は、本考案を実施するための形態に係る背負い型電気掃除機の高い箇所を掃除している使用状態の模式的斜視図である。
【考案を実施するための形態】
【００１６】
本考案に係る背負い型電気掃除機１は、少なくとも電気掃除機本体２と、電気掃除機本体２の吸気口２−２に連結されている吸気ホース２−２−１、３と、ベルト４と、から構成され、吸気ホース２−２−１，３には、着脱ジョイント２−２−２、３−１−２が設けられている。
【００１７】
電気掃除機本体２は、背負った状態で下面に吸気口２−２を、後面上部に排気口２−１を、前面の左右にそれぞれ背負うためのベルト４と、それらを支持するための腰部に位置する腰部環４−３と、を少なくとも備えている。ケースａでは、それぞれのベルト４の一端が肩付近に固着されて、腰部環４−３を通って腹部前面方向に折り曲げられて、着脱用差込バックルで勘合し、ケースｂでは、それぞれのベルト４の一端が腰付近に固着されて、肩部環４−２を通って折り返し、腰部環４−３を通って腹部前面方向に折り曲げられて、着脱用差込バックルで勘合している。また、電気掃除機本体２の内部は、紙パック方式又はサイクロン方式の何れかが内蔵されており、吸気口２−２より吸込んだゴミと空気を、フィルター又はサイクロンによってゴミと空気とに分離させて、ゴミを紙パック又は遠心分離器に集め、ゴミを取り除いた空気を排気口２−１より排出させる。なお、モータを動かす電源は、部屋のコンセントから電気コード２−４を介してもよいし、バッテリを内蔵して充電方式にしてもよい。
【００１８】
図１、図２、図３に示すように、室内にあるゴミは、吸気ノズル３−２から吸気ホース３内に吸い込まれ、吸気ホース直管部３−１−３、吸気ホース自在部ホース２−２−１、３と通って、吸気口２−２から電気掃除機本体２内の紙パック又は遠心分離器に集塵される。また、吸気口２−２から、長さ２０〜５０ｃｍの位置の吸気ホース自在部２−２−１，３に着脱ジョイント２−２−２、３−１−２が設けられている。この着脱ジョイント２−２−２、３−１−２を外すことによって、本考案に係る背負い型電気掃除機は、清掃中に他の急用が入った際に、吸気ホース２−２−１、３を簡単に切り離せるので、作業者１０は、身軽でコンパクトな状態で動くことが可能となる。また、電気掃除機本体２の吸気口２−２が、腰付近にあって高い位置にあるので、天井等の高い箇所を清掃する際に、吸気ノズル３−２や吸気ホース２−２−１、３が、高い箇所まで届く。なお、電気掃除機の入切等の操作は掃除機スイッチ部３−１−３−１にあるスイッチで行うのが良い。また、吸気ノズル３−２や吸気ホース２−２−１，３は樹脂製のものを用いるのが軽量で好適である。
【００１９】
ベルト４は、前述したように、ケースａとケースｂの２パターンがある。ケースａでは、ベルト４は、左右それぞれ、電気掃除機本体２の背中の肩付近の位置に、一端を接着や環に縫付する等によって固定して掃除機本体定着部４−１を設け、他端を肩から脇を通し、腰部付近に設けられた腰部環４−３を介して腹部前面方向に折り曲げている。そして、折り曲げたベルト４を、腹部前面で着脱用差込バックル４−５−１、４−５−２を嵌合させて、左右それぞれのベルト４を固定させ、さらに、左右それぞれのベルト余部４−６を引っ張ることによって、ベルト４を絞込んで腹部に固定し、背中に背負った電気掃除機本体２を背中に固定させる。なお、腰部環４−３の取り付けは、ベルト４をほぼ直角方向に曲げるので、ベルト４を捻らないために、斜め方向に設けるのが好ましい。
【００２０】
また、ケースｂでは、ベルト４の掃除機本体定着部４−１を腰部付近に設けており、ベルト４は、使用者１０の背中を通って、肩部付近に設けた肩部環４−２によって折返し、肩の前面から脇の下を通って、前述したように腰部環４−３を介して、着脱用差込バックル４−５−１、４−５−２で固定される。この場合においては、掃除機本体定着部４−１及び腰部環４−３の上方に、折り返した２本のベルトを挟んでスライドする締付調整具４−４を備えることによって、締付調整具４−４を脇の下に向かって上方にスライドさせることができる。よって、ベルト４を脇の下で固定させることができて、背負った電気掃除機本体２を背中に密着させて安定させることができる。なお、ベルト４は、合成繊維製又は革製が良い。
【００２１】
緩衝パッド５は、縦長の台形柱形状のものが、左右それぞれのベルト４の内側に沿うように、背負い面に２本備えられている。緩衝パッド５によって、直接電気掃除機本体２や肩部環４−２及び腰部環４−３が使用者に直接当たることがないので、肩や腰が痛くならない。また、緩衝パッド５は、パッドによって、電気掃除機本体２からの振動や熱も使用者１０に伝わることを緩和させることができるし、さらに、縦長の２本のパッドの隙間によって、背中から熱を発散させることができる。よって、長時間の掃除や夏場の掃除も快適にすることができる。
【００２２】
交換用ノズル収納袋６は、ベルト４の腹部前面に着脱させることができ、収納袋６には、吸気ノズル２やその交換部品（例えば、剣先）を収納して運搬させることができる。よって、両手がふさがることがないので、安全で快適に掃除することができる。
【００２３】
次に、本考案に係る背負い型電気掃除機１の使用方法の一例を説明する。まず、使用者１０が屈んだ状態で、本考案に係る背負い型掃除機１を背負う際に、ベルト４に備えられた、締付調整具４−４を下側にスライドさせて、肩部環４−２と締付調整具４−４との間に腕１０−１を通す。そして、ベルト４の着脱用差込バックル４−５−１、４−５−２を使用者１０の腹部に回してきてバックル４−５−１、４−５−２を嵌め込む。この際には、腕１０−１を通すベルト４の輪が大きくなるので、スムーズに腕を通すことができる。
【００２４】
それから、使用者１０が立ち上がって、左右それぞれベルト余部４−６を引っ張ってベルト４を体に密着させて、さらに、締付調整具４−４を上側にスライドさせて、使用者１０の脇の下まで動かして固定する。
【００２５】
次に、本考案にかかる電気掃除機１のスイッチ３−１−３−１を入れて掃除を開始する。電気掃除機本体２を床上で引きずらないので、電気掃除機本体２が、家具や壁に当たって掃除の妨げになったり、家具等を傷つけたりすることを防止できる。また、吸気ホース２−２−１、３が、電気掃除機本体２の下面から出ているので、重心が低くなって安定する。よって、狭いスペースにも進入して掃除することができるし、清掃時にも安定がよいので疲労しにくくなる。
【００２６】
また、電気掃除機本体２は、ベルト４によって、使用者１０の腹部と背中及び両脇で固定されるので、使用者が掃除中に、若しくは、掃除の合間に、前屈み等の姿勢不自然な姿勢をとったとしても、電気掃除機本体２は、使用者１０の背中に密着して動かないので安定し、不快感がないと共に疲労しにくくなる。また、吸気ホース２−２−１，３には、掃除機本体２から２０〜５０cmの位置にジョイント２−２−２、３−１−２が設けられているので、無理な姿勢をとらずにジョイント２−２−２、３−１−２に触れることができる。よって、清掃時に他の急用が入った際には、そのジョイント部を簡単に素早く切断することによって、すばやく、その急用に向かうことができる。例えば、清掃中にトイレに行きたくなったとしても、ベルト２を緩めて電気掃除機本体２を降ろさなくともジョイントを切断するだけで電気掃除機本体２を背負ったままトイレができる。
【００２７】
また、清掃中は、電気掃除機本体２からの放熱や振動の伝播があるが、背負い面に２本の縦長構造の緩衝用パッド５があるので、熱や振動は伝わりにくく、また背中に隙間があるので放熱効果もある。また、肩部環４−２と腰部環４−３が背中や腰に当たらないので、環の接触による不快感がない。また、排気口２−１が後方の位置にあるので、使用者１０は、排気を浴びることなく健全な清掃作業ができる。
【００２８】
吸気ノズル３−２や例えば剣先のような交換パーツを交換用ノズル収納袋６に入れて清掃作業ができるので、両手がふさがった状態での作業を回避することができる。よって、階段等の段差部での作業でも安全性を高めることができる。
【００２９】
作業終了時には、使用者１０の腹部に位置する着脱用差込バックル４−５−１，４−５−２と、吸気ホース２−２−１，３のジョイント２−２−２、３−１−２を外してから屈み、両脇の締付調整具４−４を下方に下げれば、電気掃除機本体２を背中から簡易に降ろすことができる。
【産業上の利用可能性】
【００３０】
家庭内だけでなく車両、航空機、船舶、工場など、段差や狭いスペース等がある箇所、及び天井等の高い箇所の清掃に使用する掃除機の分野で広く利用できる。
【符号の説明】
【００３１】
１：背負い型電気掃除機          
２：電気掃除機本体            ２−１：排気口        ２−２:吸気口
２−２−１：吸気ホース（本体側）    
２−２−２：着脱ジョイント（本体側）
２−４：電気コード
３：吸気ホース（ノズル側）
３−１−１：吸気ホース自在部（ノズル側）
３−１−２：着脱ジョイント（ノズル側）
３−１−３：吸気ホース直管部        
３−１−３−１：掃除機スイッチ部
３−２：吸気ノズル
４：ベルト
４−１：掃除機本体定着部        ４−２：肩部環        ４−３腰部環
４−４：締付調整具
４−５−１：着脱用差込バックル（オス）
４−５−２：着脱用差込バックル（メス）
４−６：ベルト余部
５：緩衝パッド
６：交換用ノズル収納袋
１０：使用者                    １０−１：使用者の腕
【図１】
0003203744.tif 000003
【図２】
0003203744.tif 000004
【図３】
0003203744.tif 000005
【図４】
0003203744.tif 000006
【図５】
0003203744.tif 000007